(57)【特許請求の範囲】
【請求項１】
断面がほぼ楕円形状で下部より上部の断面積が順次小となる中空状で後部に吸込口を設け、前部に狭角度に開口した吹出口を形成した本体と、前記吸込口から吸気し、吹出口から吹出す空気流路に設けられたファンモーターと、このファンモーターと吹出口間の空気流路に設けられたセラミックヒーターと、前記吹出口に可動自在に設けられた風何変更用のルーバーと、前記本体の上部後面に形成された持運び用の手掛け部とを備え、前記本体の高さをほぼひざの高さに形成した縦型電気温風機
【請求項２】
風向変更用のルーバーをタイミングモーターで一定範囲往復運動せしめる構成とした請求項１記載の縦型電気温風機。
【発明の詳細な説明】
【０００１】
【産業上の利用分野】
本発明は局部的に暖房を行う縦型電気温風機に関する。
【０００２】
【従来の技術】
近年、手輕に採暖できる暖房機として電気温風機が普及している。そして、机に向かい椅子に座って仕事をする人や、調理をするために立って調理をする人などのように一定の時間、一定の場所に人に安定した状態で手輕に使用できる縦型電気温風機の要求が高まってきている。
【０００３】
従来のこの種の縦型電気温風機について図５を参照しながら説明する。
図に示すように、前面が開口した箱状で縦長の本体１０１の内部に反射板１０２を設け、反射板１０２の焦点には縦に石英管ヒーター１０３を設け、前面開口部には保護枠１０４を設け、反射板１０２の後方には反射板１０２の上方部に設けた吹出口１０５より吹出す空気の空気流路１０６に送風するファンモーター１０７を設け、本体１０１を台１０８上に首振モーター（図示せず）により首振自在に設けられていた。
【０００４】
そして、石英管ヒーター１０３の輻射熱と反射板１０２の反射熱およびファンモーター１０７により吹出口１０５から送風される温風により本体１０１を首振りさせながら暖房が行われていた。
【０００５】
【発明が解決しようとする課題】
このような従来の縦型電気温風機の構成では、人体全体を暖めるようにしているため、本体１０１の高さが高くなり本体１０１の下部から上部迄の断面積がほぼ同一で、さらに本体１０１全体を首振りさせるので安定性が悪いとともに、占有面積が大きく、人目に付きやすいという問題があった。
【０００６】
本発明は上記課題を解決するもので、安定性が良く足元から腰まで生活姿勢に合った暖房ができる縦型電気温風機を提供することを目的とする。
【０００７】
【課題を解決するための手段】
本発明の縦型電気温風機は上記目的を達成するために、第１の手段は断面がほぼ楕円形状で下部より上部の断面積が従事小となる中空状で後部に吸込口を設け、前部に狭角度に開口した吐出口を形成した本体と、前記吸込口から吸気し、吹出口から吹出す空気流路に設けられたファンモーターと、このファンモーターと吹出口間の空気流路に設けられたセラミックヒーターと、前記吹出口に可動自在に設けられた風向変更用のルーバーと、前記本体の上部後面に形成された持運び用の手掛け部とを備え、前記本体の高さをほぼひざの高さに形成した構成とする。
【０００８】
また、第２の手段は風向変更用のルーバーをタイミングモーターで一定範囲往復運動せしめる構成とする。
【０００９】
【作用】
本発明は上記した第１の手段の構成により、ファンモーターから送風された空気がセラミックヒーターで加熱され、狭角度の吹出口から局部的に温風が吹出され、椅子に座っている場合には足元から腰あたりまで効率良く暖められる。
【００１０】
そして、本体は順次上部側の断面積が小さくなっているので安定性が良く、セラミックヒーターも内部に収納されているので暖房機として人目に付きにくくなる。
【００１１】
また、第２の手段の構成により、局部的な暖房でありながら、ルーバーが自動的に首振動作を行うので人体に強弱の温風が加わり、常時局部的に加熱された場合のように異常な熱さを感じることなく心地良い採暖を得ることができる。
【００１２】
【実施例】
以下、本発明の一実施例について図１〜図４を参照しながら説明する。
【００１３】
図に示すように、断面がほぼ楕円形状で下部より上部の断面積が順次小さくなる中空状で後部に吸込口１を設け、前部に狭角度に開口した吸出口２を形成した本体３を台４の上に設け、本体３の高さをほぼ人のひざの高さに設定する。
【００１４】
そして、本体３内に吸込口１から吸気し、吹出口２から吹出す空気流路５にファンモーター６を設け、ファンモーター６と吹出口２間の空気流路５には空気流路５を通る空気を加熱し温風化するセラミックヒーター７を設け、吹出口２には上下方向に長い風向変更用のルーバー８を吹出口２上方部に設けた受部９にピン１０を介して可動自在に設け、ルーバー８の下方部に連結軸１１を設け、吹出口２の下部壁を貫通した連結軸１１には一定範囲往復運動をせしめるタイミングモーター１２を連結する。
【００１５】
また、本体３上部の後面には凹部状の持運び用の手掛け部１３を設け、本体３の上面にはファンモーター６とセラミックヒーター７およびタイミングモーター１２の通電制御をする操作部１４を設けた構成とする。
【００１６】
上記構成において、操作部１４の操作によりファンモーター６およびセラミックヒーター７に通電すると、吸込口１から吸気された空気がファンモーター６により空気流路５を通ってセラミックヒーター７に送られると、セラミックヒーター７により加熱され温風化された温風が吹出口２より吹出され、椅子に座っている場合にはほぼ足元から腰あたりまで暖められる。
【００１７】
このとき、ルーバー８の方向を変えることにより送風方向が変換される。
そして、タイミングモーター１２に通電することにより、タイミングモーター１２により連結軸１１が一定の範囲往復回動し、それに伴いルーバー８の風向が自動的に変化されて送風が行われる。
【００１８】
このように本発明の一実施例の縦型電気温風機によれば、下部より上部の断面積が順次小さくなる形状に本体３が形成され、本体３の高さがほぼ人のひざの高さに形成しているので、安定性が良く、暖を得たい足元から腰あたりまでの効率良く暖められるとともに、セラミックヒーター７が内部に収納され暖房機として人目に付きにくくなり、受付の机の近傍に設置しても外来者に気づかれにくく異和感を与えることもなくなる。
【００１９】
また、ルーバー８を自動的に首振動作させることにより、局部的に異常に加熱されることが緩和され、心地良い採暖を得ることが可能となる。
【００２０】
【発明の効果】
以上の実施例から明らかなように、本発明によれば断面がほぼ楕円形状で下部より上部の断面積が順次小となる中空状で後部に吸込口を設け、前部に狭角度に開口した吹出口を形成した本体と、前記吸込口から吸気し、吹出口から吹出する空気流路に設けられたファンモーターと、このファンモーターと吹出口間空気流路に設けられたセラミックヒーターと、前記吹出口に可動自在に設けられた風向変更用のルーバーと、前記本体の上部後面に形成された持運び用の手掛け部とを備え、前記本体の高さをほぼひざの高さに形成したので、安定性が良く足元から腰まで生活姿勢に合った暖房ができる縦型電気温風機を提供できる。
【００２１】
また、風向変更用のルーバーをタイミングモーターで一定範囲往復運動せしめる構成としたので、異常な熱を感じることなく心地良い採暖を得ることができる。
【図面の簡単な説明】
【図１】本発明の一実施例の縦型電気温風機の縦断面図
【図２】同縦型電気温風機の斜視図
【図３】同縦型電気温風機を調理者に対応して設置した状態を示す側面図
【図４】同縦型電気温風機を椅子に座った人に対応して設置した状態を示す側面図
【図５】従来の縦型電気温風機の断面図
【符号の説明】
１    吸込口
２    吹出口
３    本体
５    空気流路
６    ファンモーター
７    セラミックヒーター
８    ルーバー
１２  タイミングモーター
１３  手掛け部
【図１】
0003661226.tif 000002
【図２】
0003661226.tif 000003
【図３】
0003661226.tif 000004
【図４】
0003661226.tif 000005
【図５】
0003661226.tif 000006